(57)【要約】    【課題】  情報を流し読みするユーザがリンクを飛ばしてしまうことなくリンクを辿ることができ、ユーザに特定のファイルへのリンクのみを意識させ、ユーザに情報の中で注意すべき個所を意識させることを容易にする。    【解決手段】  情報出力装置は、情報保持部101、表示情報変換部102、情報表示部103、情報移動操作部104、リンクフォーカス部105、音出力部106を備える。情報表示部103の画面ウ上の情報のスクロールに伴い画面にリンクが現れると、リンクフォーカス部105は表示情報変換部102により画面上でリンク部分をフォーカス表示させ、音出力部106により警告音を出力させる。更に、情報表示部103の画面上の情報のスクロールに伴い画面に別のリンクが現れると、リンクフォーカス部105は表示情報変換部102により画面上でリンク部分をフォーカス表示させ、音出力部106により警告音を出力させる。【選択図】      図１
2005115476.tif 000002
【特許請求の範囲】
【請求項１】
情報を表示する表示手段を備えた情報出力装置であって、
前記表示手段に表示された情報のスクロールを指示する指示手段と、警告音を出力する出力手段と、前記表示手段における前記情報のスクロールに伴い前記情報に含まれる他の情報へのリンクが前記表示手段に現れた場合、前記出力手段に警告音を出力させるリンク選択手段とを備えることを特徴とする情報出力装置。
【請求項２】
前記リンクによって辿る情報の拡張子に応じて前記警告音の種類を変える音選択手段を備えることを特徴とする請求項１記載の情報出力装置。
【請求項３】
テキスト情報に基づき前記警告音としての音声を合成する音声合成手段を備えることを特徴とする請求項１記載の情報出力装置。
【請求項４】
前記音声合成手段は、リンクによって辿る情報の拡張子に応じて前記警告音としての音声を変えることを特徴とする請求項３記載の情報出力装置。
【請求項５】
前記表示手段における情報のスクロールを抑制する抑制手段を備え、リンクが前記表示手段に現れた場合、前記リンク選択手段は、前記リンクを当該リンクに注意を促す状態に表示させると共に、前記出力手段に警告音を出力させ、前記抑制手段は、前記情報のスクロール抑制を行うことを特徴とする請求項１記載の情報出力装置。
【請求項６】
前記表示手段に表示されているリンクの数に応じて前記警告音の音量を変える音量調整手段を備えることを特徴とする請求項１記載の情報出力装置。
【請求項７】
情報を表示する表示手段を備えた情報出力装置により実行されるリンク報知方法であって、
前記表示手段に表示された情報のスクロールに伴い前記情報に含まれる他の情報へのリンクが前記表示手段に現れた場合、警告音を出力することを特徴とするリンク報知方法。
【請求項８】
前記リンクによって辿る情報の拡張子に応じて前記警告音の種類を変えることを特徴とする請求項７記載のリンク報知方法。
【請求項９】
テキスト情報に基づき前記警告音としての音声を合成することを特徴とする請求項７記載のリンク報知方法。
【請求項１０】
リンクによって辿る情報の拡張子に応じて前記警告音としての音声を変えることを特徴とする請求項９記載のリンク報知方法。
【請求項１１】
リンクが前記表示手段に現れた場合、前記リンクを当該リンクに注意を促す状態に表示すると共に、警告音を出力し、前記表示手段における情報のスクロールを抑制することを特徴とする請求項７記載のリンク報知方法。
【請求項１２】
前記表示手段に表示されているリンクの数に応じて前記警告音の音量を変えることを特徴とする請求項７記載のリンク報知方法。
【請求項１３】
情報を表示する表示手段を備えた情報出力装置により実行されるリンク報知方法をコンピュータに実行させるプログラムであって、
前記表示手段に表示された情報のスクロールに伴い前記情報に含まれる他の情報へのリンクが前記表示手段に現れた場合、警告音を出力するモジュールとを備えることを特徴とするプログラム。
【請求項１４】
前記請求項１３記載のプログラムを格納することを特徴とするコンピュータ読み取り可能な記憶媒体。
【発明の詳細な説明】
【技術分野】
【０００１】
本発明は、情報の閲覧、特に表示画面の小さい環境におけるウェブの閲覧を可能とする情報出力装置、リンク報知方法、プログラム、及び記憶媒体に関する。
【背景技術】
【０００２】
近年、WWW（World Wide Web）を利用し情報の閲覧や検索を行うシステムがインフラとして広く社会に浸透している。情報の閲覧や検索の際は、一般的にはブラウザと呼ばれるソフトを使用し、機器の画面にGUI（グラフィカルユーザインタフェース）を表示してこれを操作したり、機器に配設されたボタンを操作したりすることにより、情報の閲覧や検索を行っている。ここで、小型携帯端末やファクシミリに付属したディスプレイにより情報を閲覧する場合などにおいては、情報閲覧用の画面が小さいために情報を一度に表示できなかったり、マウスのような手軽に動かせるポインティングデバイスを利用できなかったりすることがある。図１０にこの種の機器における情報閲覧の様子を示す。
【０００３】
図１０は、一般の情報出力装置における情報閲覧の様子を示す図である。
【０００４】
図１０において、９０１は、ユーザが閲覧したい情報である。９０２は、情報９０１を情報出力装置の小さい画面に表示させた部分情報である。９０３は、閲覧したい情報を操作するためのGUIもしくは情報出力装置に配設されたボタンである。
【０００５】
図１０に示すように、情報９０１を小画面に全て表示させることはできないため、ボタン９０３により情報９０１をスクロールさせることで全情報の一部を、小さい画面内に収まる部分情報９０２として表示する。また、情報９０１において下線が引かれた部分は、他の情報に移るためのリンクであり、部分情報９０２に示すように、スクロール中に新しいリンクが画面上に表示されると、そのリンクをフォーカスして表示し、ボタン９０３の中央の決定ボタン（丸印）を押下することでリンク先の情報を表示する。
【０００６】
他方、ＨＴＭＬ文書内でユーザがリンクを利用した履歴（リンク及び文字）を記憶し、ユーザが必要とするリンクのみを表示し、リンク先の説明文章も作成して合わせて表示する技術が提供されている（例えば、特許文献１参照）。
【０００７】
また、ブラウザのスクロールバーを動かすと、その位置近辺のリンクを視覚的にわかりやすく色を変え、リンク数によってスクロール速度を変える技術が提供されている（例えば、特許文献２参照）。
【特許文献１】特許登録第０３２３７６１９号
【特許文献２】特許登録第０３０９３７４３号
【発明の開示】
【発明が解決しようとする課題】
【０００８】
しかしながら、上述したように、情報出力装置が備える小さい画面で情報を閲覧する場合、画面内において情報をスクロールさせることで部分情報として表示せざるをえないため、全情報を一度に閲覧可能な一覧性がないためにリンクを探しづらいという問題がある。例えば、画面内においてそれほど重要でない情報を流し読みつつ情報をスクロールさせると、たとえリンクがフォーカス表示されても気付かずに、ついスクロールさせすぎてしまうことがしばしば起こる。
【０００９】
この対策として、情報の中でリンクのみを表示したり、情報の中の次のリンクまでジャンプしたりすることが考えられるが、これではリンクの前後の文脈をユーザがつかめないため、何のためのリンクであるかをユーザが把握できない場合がある。そこで、従来から、情報出力装置の小さい画面内においてユーザが情報を流し読みしながらスクロールさせているときに、それほど画面に注意しなくとも、リンクに対して注意を促す方法が要望されている。
【００１０】
また、上述した二件の特許文献のいずれも、画面表示による注意の引き付けであり、ユーザが画面に注意していないと気づかない、情報作成者の意図と異なる表示を行う必要がある、などの問題がある。
【００１１】
本発明の目的は、情報を流し読みするユーザがリンクを飛ばしてしまうことなくリンクを辿ることができ、ユーザが特定のファイルへのリンクのみを意識することができ、ユーザが情報の中で注意すべき個所を意識することを容易にした情報出力装置、リンク報知方法、プログラム、及び記憶媒体を提供することにある。
【課題を解決するための手段】
【００１２】
上述の目的を達成するために、本発明は、情報を表示する表示手段を備えた情報出力装置であって、前記表示手段に表示された情報のスクロールを指示する指示手段と、警告音を出力する出力手段と、前記表示手段における前記情報のスクロールに伴い前記情報に含まれる他の情報へのリンクが前記表示手段に現れた場合、前記出力手段に警告音を出力させるリンク選択手段とを備えることを特徴とする。
【００１３】
また、本発明は、前記リンクによって辿る情報の拡張子に応じて前記警告音の種類を変える音選択手段を備えることを特徴とする。
【００１４】
また、本発明は、テキスト情報に基づき前記警告音としての音声を合成する音声合成手段を備えることを特徴とする。
【００１５】
また、本発明は、前記音声合成手段は、リンクによって辿る情報の拡張子に応じて前記警告音としての音声を変えることを特徴とする。
【００１６】
また、本発明は、前記表示手段における情報のスクロールを抑制する抑制手段を備え、リンクが前記表示手段に現れた場合、前記リンク選択手段は、前記リンクを当該リンクに注意を促す状態に表示させると共に、前記出力手段に警告音を出力させ、前記抑制手段は、前記情報のスクロール抑制を行うことを特徴とする。
【００１７】
また、本発明は、前記表示手段に表示されているリンクの数に応じて前記警告音の音量を変える音量調整手段を備えることを特徴とする。
【００１８】
尚、本発明は、リンクを当該リンクに注意を促す状態に表示する形態としては、網掛けによる表示形態、点滅による表示形態、表示色を変えた表示形態、表示字体を変えた表示形態を含む各種の表示形態を用いることができる。
【００１９】
また、本発明は、警告音の出力形態としては、単発音を鳴動させる出力形態、連続音を鳴動させる出力形態、断続音を鳴動させる出力形態、短いメロディーを鳴動させる出力形態を含む各種の出力形態を用いることができる。
【発明の効果】
【００２０】
本発明によれば、表示手段に表示された情報のスクロールに伴い情報に含まれる他の情報へのリンクが表示手段に現れた場合、警告音を出力するので、例えば情報出力装置の表示手段の画面が小さい場合、画面上でユーザが情報を閲覧し情報をスクロールさせる際において、リンクが表示手段に現れたときに、情報を流し読みするユーザがリンクを飛ばしてしまうことなくリンクを辿ることができる。
【００２１】
また、本発明によれば、リンクによって辿る情報の拡張子に応じて警告音の種類を変えるので、ユーザが例えば画像など特定のファイルへのリンクのみを意識することができる。
【００２２】
また、本発明によれば、テキスト情報に基づき警告音としての音声を合成するので、より詳細な情報により警告を行うことができる。
【００２３】
また、本発明によれば、リンクによって辿る情報の拡張子に応じて警告音としての音声を変えるので、より詳細な情報により警告を行うことができる。
【００２４】
また、本発明によれば、リンクが表示手段に現れた場合、リンクを当該リンクに注意を促す状態に表示すると共に、警告音を出力し、表示手段における情報のスクロールを抑制するので、より一層ユーザへの注意を促すことができる。
【００２５】
また、本発明によれば、表示手段に表示されているリンクの数に応じて警告音の音量を変えるので、ユーザが情報の中で注意すべき個所を意識することが容易になる。
【発明を実施するための最良の形態】
【００２６】
以下、本発明の実施の形態を図面に基づき説明する。
【００２７】
［第１の実施の形態］
図１は、本発明の第１の実施の形態に係る情報出力装置の構成例を示すブロック図である。
【００２８】
図１において、情報出力装置は、情報保持部１０１、表示情報変換部１０２、情報表示部１０３（表示手段）、情報移動操作部１０４（指示手段）、リンクフォーカス部１０５（リンク選択手段）、音出力部１０６（出力手段）を備えている。
【００２９】
情報保持部１０１は、ユーザが閲覧する情報を保持する。表示情報変換部１０２は、HTML（HyperText Markup Language）などの情報を、情報表示部１０３に表示するための情報に変換する。情報表示部１０３は、表示情報変換部１０２で変換された情報を表示する小さい画面のディスプレイである。情報移動操作部１０４は、情報表示部１０３の画面に表示しきれない情報を閲覧するために、ユーザが情報をスクロールさせたり、リンクを選択してリンク先の情報を取得したりする際の操作に用いる。
【００３０】
リンクフォーカス部１０５は、ユーザによる情報移動操作部１０４を用いたスクロール操作により、情報表示部１０３の画面内に現れたリンクをフォーカス表示するように表示情報変換部１０２に指示すると共に、警告音を出力するように音出力部１０６に指示する。音出力部１０６は、例えば音出力部１０６内に記憶されている警告音データをデジタル/アナログ変換し、不図示のスピーカ或いはヘッドホンなどから出力する。
【００３１】
また、本実施の形態及び後述の各実施の形態の情報出力装置は、情報出力装置各部の制御を司るＣＰＵ（図示略）、情報出力装置における後述の動作を実現するプログラムを格納したＲＯＭ（図示略）を備えている。ＣＰＵはＲＯＭに格納されているプログラムに基づき情報出力装置における後述の動作を実行する。
【００３２】
図２（Ａ）〜（Ｄ）は、情報出力装置における情報出力例を示す図である。
【００３３】
図２（Ａ）〜（Ｄ）において、２０１は、情報出力装置において閲覧対象の情報を情報保持部１０１から読み出して情報表示部１０３の画面に表示した状態である。２０２は、ユーザが情報移動操作部１０４により画面内の情報をスクロールさせた状態である。２０３は、ユーザが情報移動操作部１０４により更に画面内の情報をスクロールさせることで、画面内にリンクが現れ、リンクをフォーカス表示した状態である。２０４は、ユーザが情報移動操作部１０４により更に画面内の情報をスクロールさせることで、画面内に別のリンクが現れ、別のリンクにフォーカス表示を移した状態である。
【００３４】
次に、上記構成を有する本実施の形態の情報出力装置の動作を図１乃至図３を参照しながら説明する。
【００３５】
図３は、情報出力装置の動作を示すフローチャートである。本フローチャートに示す処理は情報出力装置のＣＰＵがＲＯＭに格納されているプログラムに基づき実行する。
【００３６】
図１乃至図３において、まず、ユーザが情報保持部１０１に保持されている情報から閲覧したい情報を選択部（図示略）により選択すると、情報保持部１０１から選択された情報を、表示情報変換部１０２により、タグ情報、メタ情報、所定のフォーマットを用いて所定の表示データに変換し、表示データを情報表示部１０３の画面に図２の２０１のように表示する（ステップＳ１）。次に、ユーザが情報移動操作部１０４を用いて情報表示部１０３の画面に表示されている情報をスクロールさせると、図２の２０２のように、情報表示部１０３の画面に図２の２０１で表示しきれなかった情報が表示される（ステップＳ２）。
【００３７】
ここで、図２の２０３のように、情報表示部１０３の画面にリンクが現れると、リンクフォーカス部１０５がリンク部分をフォーカス表示するように表示情報変換部１０２に指示することで、情報表示部１０３の画面においてリンク部分をフォーカス表示し、音出力部１０６に警告音を出力するように指示することで、音出力部１０６から警告音を出力する（ステップＳ３）。
【００３８】
また、ユーザが情報移動操作部１０４を用いて情報表示部１０３の画面に表示されている情報を更にスクロールすることにより、情報表示部１０３の画面に別のリンクが現れると、リンクフォーカス部１０５が別のリンク部分をフォーカス表示するように表示情報変換部１０２に指示することで、図２の２０４に示すようにフォーカスを移動させ、情報表示部１０３の画面において別のリンク部分をフォーカス表示し、音出力部１０６に警告音を出力するように指示することで、音出力部１０６から警告音を出力する（ステップＳ４）。
【００３９】
ここで、ユーザが情報移動操作部１０４を用いてリンク先の情報を取得するように操作（例えば決定ボタンを押下）すると、フォーカスが当たった（フォーカス表示されている）リンク先の情報を取得することができる（ステップＳ５）。尚、図２の例では音出力部１０６から警告音「ピッ！！」を出力しているが、これに限定されるものではなく、警告音は任意の音とすることが可能である。
【００４０】
このように、情報表示部１０３の画面に表示されている情報のスクロール中に新たにリンクが現れた時のみ、フォーカス表示の個所を移動させると共に音出力部１０６から警告音を出力することで、ユーザに対してリンクへの注意を促すことができる。尚、情報表示部１０３の画面に対する初期表示において（図２の２０１）、リンクが画面内にある場合には、音出力部１０６から警告音を出力してもよいし出力しなくともよい。
【００４１】
以上説明したように、本実施の形態によれば、情報出力装置の情報表示部１０３の小さい画面上でユーザが情報を閲覧し、情報をスクロールさせる際に、リンクにフォーカスが当たると警告音を出力することで、情報を流し読みするユーザがリンクを飛ばしてしまうことなくリンクを辿ることができる。
【００４２】
［第２の実施の形態］
図４は、本発明の第２の実施の形態に係る情報出力装置の構成例を示すブロック図である。
【００４３】
図４において、情報出力装置は、情報保持部３０１、表示情報変換部３０２、情報表示部３０３（表示手段）、情報移動操作部３０４（指示手段）、リンクフォーカス部３０５（リンク選択手段）、音出力部３０６（出力手段）、音選択部３０７（音選択手段）を備えている。
【００４４】
本実施の形態は、上述した第１の実施の形態に対して、図１の構成に音選択部３０７を追加した点において相違する。本実施の形態のその他の要素は、上述した第１の実施の形態の図１の対応するものと同一なので、説明を省略する。
【００４５】
上述した第１の実施の形態は、情報をスクロールしてリンクにフォーカスが当てられた際に警告音を出力するものである。これに対し、本実施の形態は、リンク先の情報の拡張子に応じて警告音を変えて出力するものである。
【００４６】
図５は、情報出力装置の音選択部３０７が用いるリンク先拡張子と警告音ファイルを対応付けた対応テーブルの例を示す図である。
【００４７】
図５において、対応テーブルには、リンク先ファイルの拡張子「.htm or .html」「.wav」「.jpg or .bmp or .gif」「（other）」が、警告音ファイル「pi.wav」「poon.wav」「bon.wav」「kahn.wav」とそれぞれ対応付けて記憶されている。
【００４８】
音選択部３０７は、リンクフォーカス部３０５によりフォーカスされたリンクが示す情報の拡張子に基づき、複数設定されている警告音のうちの１つを選択するものである。音選択部３０７は、図５に示す対応テーブルを備えており、対応テーブルから、フォーカスされたリンクのリンク先ファイルの拡張子を取得する。例えば、リンク先拡張子が.jpgであれば、bon.wavを警告音ファイルとして選択し、リンク先拡張子が.txtであれば、対応テーブルには載っていないので（other）を引いてkahn.wavを警告音ファイルとして選択する。音選択部３０７は、選択した警告音ファイルに対応した警告音を音出力部３０６から出力する。
【００４９】
以上説明したように、本実施の形態によれば、情報出力装置の情報表示部３０３の小さい画面上でユーザが情報を閲覧し、情報をスクロールさせる際に、リンクにフォーカスが当たるとリンク先の拡張子によって警告音を変えることで、ユーザが例えば画像など特定のファイルへのリンクのみを意識することができる。
【００５０】
［第３の実施の形態］
図６は、本発明の第３の実施の形態に係る情報出力装置の構成例を示すブロック図である。
【００５１】
図６において、情報出力装置は、情報保持部５０１、表示情報変換部５０２、情報表示部５０３（表示手段）、情報移動操作部５０４（指示手段）、リンクフォーカス部５０５（リンク選択手段）、音出力部５０６（出力手段）、音声合成部５０７（合成手段）を備えている。
【００５２】
本実施の形態は、上述した第１の実施の形態に対して、図１の構成に音声合成部５０７を追加した点において相違する。本実施の形態のその他の要素は、上述した第１の実施の形態の図１の対応するものと同一なので、説明を省略する。
【００５３】
上述した第１の実施の形態では、情報をスクロールしてリンクにフォーカスが当てられた際に警告音を出力するものである。これに対し、本実施の形態は、ユーザに対する警告音として音声合成部５０７により合成した音声を出力するものである。
【００５４】
図７は、情報出力装置の音声合成部５０７がリンクのタグに囲まれたテキスト情報を音声に変換して出力する様子を示す図である。
【００５５】
図７において、情報表示部５０３の画面に表示した情報をスクロールした際にリンクが現れ、リンクがフォーカス表示されている。
【００５６】
音声合成部５０７は、テキスト情報を音声に変換するものである。音声合成部５０７は、情報表示部５０３の画面にリンクが現れ、リンクフォーカス部５０５からユーザに注意を促すように指示を受けると、テキスト情報を変換して音声を生成し、音出力部５０６から音声を出力することでユーザに注意を促す。出力する音声の内容は、図７に示すように、リンクのタグに囲まれたテキスト（即ち、リンクとして表示されているテキスト）を読み上げてもよいし、読み上げ専用のタグに囲まれたテキストを読み上げてもよい。
【００５７】
図８は、情報出力装置の音声合成部５０７が用いるリンク先拡張子と警告メッセージを対応付けた対応テーブルの例を示す図である。
【００５８】
図８において、対応テーブルには、リンク先ファイルの拡張子「.htm or .html」「.wav」「.jpg or .bmp or .gif」「（other）」が、警告メッセージ「ＨＴＭＬです」「音声です」「画像です」「リンクです」とそれぞれ対応付けて記憶されている。
【００５９】
音声合成部５０７は、上記図７で説明したような手順で音声を生成する代わりに、図８に示す対応テーブルを備えることで、対応テーブルのリンク先拡張子に応じて警告メッセージを決定してもよい。例えば.jpgファイルへのリンクがフォーカスされれば、音声合成部５０７は警告メッセージ（テキスト）「画像です」を音声情報に変換し、音出力部５０６から出力する。
【００６０】
以上説明したように、本実施の形態によれば、情報出力装置の情報表示部５０３の小さい画面上でユーザが情報を閲覧し、情報をスクロールさせる際に、リンクにフォーカスが当たったときに出力する警告音として合成音声を用いることで、より詳細な情報により警告を行うことができる。
【００６１】
［第４の実施の形態］
図９は、本発明の第４の実施の形態に係る情報出力装置の構成例を示すブロック図である。
【００６２】
図９において、情報出力装置は、情報保持部８０１、表示情報変換部８０２、情報表示部８０３（表示手段）、情報移動操作部８０４（操作手段）、リンクフォーカス部８０５（リンク選択手段）、音出力部８０６（出力手段）、スクロール抑制部（抑制手段）８０７を備えている。
【００６３】
本実施の形態は、上述した第１の実施の形態に対して、図１の構成にスクロール抑制部８０７を追加した点において相違する。本実施の形態のその他の要素は、上述した第１の実施の形態の図１の対応するものと同一なので、説明を省略する。
【００６４】
上述した第１〜第３の実施の形態は、情報をスクロールしてリンクにフォーカスが当てられた際に警告音もしくは合成音声を出力するものである。これに対し、本実施の形態は、警告音を出力すると共にスクロールを抑制するものである。
【００６５】
スクロール抑制部８０７は、スクロールを抑制する命令を情報移動操作部８０４に与えるものである。情報表示部８０３の画面上におけるユーザによる情報移動操作部８０４を用いた情報のスクロールに伴い、リンクフォーカス部８０５がリンクにフォーカスを当てると、スクロール抑制部８０７は、スクロールを抑制する命令を情報移動操作部８０４に出力する。
【００６６】
このとき、情報移動操作部８０４を用いた情報のスクロールは、ユーザがスクロールボタンを押下し続けている場合でもよいし、スクロールボタンを一度押下するだけで自動的に所定の速度でスクロールする場合でも構わない。また、スクロール抑制部８０７は、これらのスクロールの速度を遅くしてもよいし、フォーカスを当てたリンクでスクロールを止めてもよい。 この場合、ユーザがもう一度スクロールボタンを押下すると、スクロールは再開する。
【００６７】
以上説明したように、本実施の形態によれば、情報出力装置の情報表示部８０３の小さい画面上でユーザが情報を閲覧し、情報をスクロールさせる際に、リンクにフォーカスが当たったときに警告音を出力すると共にスクロールを抑制することで、より一層ユーザへの注意を促すことができる。
【００６８】
［第５の実施の形態］
本実施の形態は、上述した第１の実施の形態に対して、下記の点において相違する。本実施の形態のその他の要素は、上述した第１の実施の形態の図１の対応するものと同一なので、説明を省略する。
【００６９】
上述した第１〜第４の実施の形態では、警告音或いは合成音声の音量については触れていないが、本実施の形態のように、情報表示部の画面に表示されているリンクの数に応じて音量を変化させる制御を行う音量調整手段（図示略）を設けても構わない。例えば、一画面に表示されているリンクの数が多いときほどユーザにより一層の注意を与えたい場合は、リンクの数が多いほど音量を大きくしてもよい。
【００７０】
以上説明したように、本実施の形態によれば、情報表示部の画面に表示されているリンク数に応じて警告音の音量を変えることで、ユーザが情報の中で注意すべき個所を意識することが容易になる。
【００７１】
［他の実施の形態］
上記実施の形態では、情報出力装置の機能を実現するプログラムをＲＯＭに格納する場合について説明したが、これに限定されるものではなく、任意の記憶媒体を用いて情報出力装置の機能を実現してもよい。また、プログラムと同様の動作を行う回路で情報出力装置の機能を実現してもよい。
【００７２】
上記実施の形態では、情報表示部の画面中に現れたリンクのフォーカス表示形態については限定されるものではないが、リンクのフォーカス表示形態としては、網掛けによる表示形態、点滅による表示形態、表示色を変えた表示形態、表示字体を変えた表示形態など、各種の方法を想定することが可能である。
【００７３】
上記実施の形態では、警告音の出力形態については限定されるものではないが、警告音の出力形態としては、上記以外に、例えば、連続音を鳴動させる出力形態、断続音を鳴動させる出力形態、短いメロディーを鳴動させる出力形態など、各種の出力形態を想定することが可能である。
【００７４】
上記実施の形態では、情報出力装置の適用分野については言及しなかったが、例えば小型携帯端末やファクシミリなどの、画面が小さく情報を一度に表示できない構造やポインティングデバイスを利用できない構造の電子機器を始めとする各種の電子機器に適用することが可能である。
【００７５】
本発明は、上述した実施の形態の機能を実現するソフトウェアのプログラム（図３のフローチャート）をコンピュータ又はＣＰＵに供給し、そのコンピュータ又はＣＰＵが該供給されたプログラムを読出して実行することによって、達成することができる。
【００７６】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００７７】
上記プログラムの形態は、オブジェクトコード、インタプリタにより実行されるプログラムコード、ＯＳ（オペレーティングシステム）に供給されるスクリプトデータ等の形態から成ってもよい。
【００７８】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【００７９】
この場合、格納媒体から読出されたプログラムコード自体が上述した各実施の形態の機能を実現すると共に、そのプログラムコードを記憶した記憶媒体は本発明を構成する。
【００８０】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【００８１】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【図面の簡単な説明】
【００８２】
【図１】本発明の第１の実施の形態に係る情報出力装置の構成例を示すブロック図である。
【図２】情報出力装置における情報出力例を示す図であり、（Ａ）は選択した情報を示す図、（Ｂ）、（Ｃ）、（Ｄ）は順次スクロールさせた情報を示す図である。
【図３】情報出力装置の動作を示すフローチャートである。
【図４】本発明の第２の実施の形態に係る情報出力装置の構成例を示すブロック図である。
【図５】情報出力装置の音選択部が用いるリンク先拡張子と警告音ファイルを対応付けた対応テーブルの例を示す図である。
【図６】本発明の第３の実施の形態に係る情報出力装置の構成例を示すブロック図である。
【図７】情報出力装置の音声合成部がリンクのタグに囲まれたテキスト情報を音声に変換して出力する様子を示す図である。
【図８】情報出力装置の音声合成部が用いるリンク先拡張子と警告メッセージを対応付けた対応テーブルの例を示す図である。
【図９】本発明の第４の実施の形態に係る情報出力装置の構成例を示すブロック図である。
【図１０】一般の情報出力装置における情報閲覧の様子を示す図である。
【符号の説明】
【００８３】
１０１、３０１、５０１、８０１  情報保持部
１０２、３０２、５０２、８０２  表示情報変換部
１０３、３０３、５０３、８０３  情報表示部
１０４、３０４、５０４、８０４  情報移動操作部
１０５、３０５、５０５、８０５  リンクフォーカス部
１０６、３０６、５０６、８０６  音出力部
３０７  音選択部
５０７  音声合成部
８０７  スクロール抑制部
【図１】
2005115476.tif 000003
【図２】
2005115476.tif 000004
【図３】
2005115476.tif 000005
【図４】
2005115476.tif 000006
【図５】
2005115476.tif 000007
【図６】
2005115476.tif 000008
【図７】
2005115476.tif 000009
【図８】
2005115476.tif 000010
【図９】
2005115476.tif 000011
【図１０】
2005115476.tif 000012